(57)【要約】  複数区画内部ダクトを製造する方法は、複数の長手方向に延びて横方向に離間された接着剤のストリップを、長手方向に延びる布材料のシート上に配置するステップと、隣接するストリップを接続して区画を形成するステップと、区画を一体に取り付けるステップとを含む。
2021526344.tif 000002
【特許請求の範囲】
【請求項１】
内部ダクトを製造する方法であって、複数の長手方向に延びて横方向に離間された接着剤のストリップを、長手方向に延びる布材料のシート上に配置するステップと、少なくとも２つのストリップを一体に接続して少なくとも１つの区画を形成するステップとを備える、方法。
【請求項２】
前記接続するステップの前に、少なくとも２つのストリップが互いに隣接するように前記材料のシートを折り畳むステップをさらに備える、請求項１に記載の方法。
【請求項３】
前記配置するステップが、接着剤の第１のストリップを前記材料のシートの一方の側縁に配置するステップと、第２の材料のストリップを前記材料のシートの他方の側縁に配置するステップとを含み、さらに、前記第１のストリップおよび第２のストリップが互いに隣接し、その後に接続されて１つの区画を形成するように、前記材料のシートを折り畳むステップを備える、請求項１に記載の方法。
【請求項４】
前記配置するステップが、前記接着剤の第１のストリップに隣接して接着剤の第３のストリップを配置するステップと、前記接着剤の第２のストリップに隣接して接着剤の第４のストリップを配置するステップとを含み、前記折り畳むステップが、前記第３のストリップおよび第４のストリップが互いに隣接し、その後に接続されて第２の区画を形成するように、前記材料のシートを折り畳むステップを含む、請求項３に記載の方法。
【請求項５】
さらに、前記接着剤の第１のストリップ、第２のストリップ、第３のストリップおよび第４のストリップを一体に取り付けて、それによって前記１つの区画および前記第２の区画を取り付けるステップを備える、請求項４に記載の方法。
【請求項６】
前記配置するステップが、前記接着剤の第３のストリップに隣接して接着剤の第５のストリップを配置するステップと、前記接着剤の第４のストリップおよび前記接着剤の第５のストリップに隣接して接着剤の第６のストリップを配置するステップとを含み、前記折り畳むステップが、前記接着剤の第５のストリップおよび第６のストリップが互いに隣接し、その後に接続されて第３の区画を形成するように、前記材料のシートを折り畳むステップを含む、請求項４に記載の方法。
【請求項７】
さらに、前記接着剤の第１のストリップ、第２のストリップ、第３のストリップ、第４のストリップ、第５のストリップ、および第６のストリップを一体に取り付けて、それによって前記第１の区画、前記第２の区画、および前記第３の区画を一体に取り付けるステップを備える、請求項６に記載の方法。
【請求項８】
前記配置するステップが、接着剤の第２の対の横方向に離間された接着剤のストリップに隣接して第１の対の横方向に離間された接着剤のストリップを配置するステップを含み、前記接続するステップが、第１の対の接着剤のストリップを互いに取り付けるステップと、接着剤の第２の対のストリップを互いに取り付けるステップと、接着剤の第１の対のストリップを接着剤の第２の対のストリップに取り付けるステップとを含む、請求項１に記載の方法。
【請求項９】
前記配置するステップが、接着剤の固定された対の横方向に離間された接着剤のストリップに隣接して第３の対の横方向に離間された接着剤のストリップを配置するステップと、接着剤の第３の対のストリップを接着剤の第１のストリップおよび第２のストリップの対に接続するステップを含む、請求項８に記載の方法。
【発明の詳細な説明】
【技術分野】
【０００１】
関連出願の相互参照
本特許出願は、参照により本明細書に組み込まれる、２０１８年６月１２日に出願された米国仮特許出願第６２／６８３，７５５号からの優先権を主張する。
【０００２】
本発明は、通信導管用の内部ダクトを作製する方法に関する。より具体的には、本発明は、接着剤を使用して布ダクトを一体に取り付けて、複数セルの内部ダクトを形成することに関する。
【背景技術】
【０００３】
数千フィートに及ぶ地下通信導管にケーブルを配置することは、長い間問題であった。そのようなことは、既にケーブルが入っている導管に追加のケーブルを配置する必要がある場合に特に当てはまる。そのケーブルは、特にそのプラスチックジャケットのために、新たなケーブルが導管に挿入されるときに大きな摩擦をもたらす。その結果、その摩擦により、新たなまたは既存のケーブルが損傷する可能性がある。そのようなことは、導管内のケーブルが波打っていて、導入されるケーブルが曲がりくねった部分を含んだ経路をたどる場合に特に当てはまる。
【０００４】
この問題に対する非常に成功した解決策は、ＴＶＣ  Ｃｏｍｍｕｎｉｃａｔｉｏｎｓ，ＬＬＣによって商標ＭＡＸＣＥＬＬ（登録商標）で販売され、米国特許第６，２６２，３７１号に示されているファブリック内部ダクトであり、これは、本発明を理解するために必要な詳細について参照により本明細書に組み込まれる。この内部ダクトは、最初に導管内に配置され、導管を長手方向に延びる区画に分割する。ケーブルは、区画の１つに配置されることができ、プルテープまたはロープが別の区画に配置されて、後に第２のケーブルをその区画に引き込むために利用されることができる。ケーブル間に布地があるため、摩擦は、ケーブルジャケットではなく布地にあり、設置を容易にする。
【０００５】
これらの内部ダクトの区画は、通常、互いに接続されて、それらをステッチすることによって複数区画内部ダクトを提供する。通常、そのような接続で十分であるが、ステッチが緩んで、内部ダクトの区画の完全性が失われる可能性がある。
【０００６】
したがって、内部ダクトの区画を接続して形成するための代替方法が必要である。
【発明の概要】
【０００７】
したがって、本発明の一態様の目的は、ステッチを使用せずに導管内部ダクトを製造することである。
【０００８】
本発明の別の態様の目的は、接着剤を使用することによって、上記のように内部ダクトを製造することである。
【０００９】
本発明のこれらおよび他の目的、ならびに以下の説明から明らかになる既存の従来技術の形態に対するそれらの利点は、以下に説明および特許請求される改善によって達成される。
【００１０】
一般に、内部ダクトを製造する方法は、複数の長手方向に延びて横方向に離間された接着剤のストリップを、長手方向に延びる布材料のシート上に配置するステップと、少なくとも２つのストリップを一体に接続して少なくとも１つの区画を形成するステップとを含む。
【００１１】
内部ダクトを製造する好ましい方法は、本発明が具体化されることができる全ての様々な形態および変更を示すことを試みることなく添付の図面に例として示され、本発明は、明細書の詳細な説明ではなく添付の特許請求の範囲によって評価される。
【図面の簡単な説明】
【００１２】
【図１】図１は、内部ダクトを作製するために使用される布材料の断片化された平面図である。
【図２】図２は、実質的に図１の線２−２に沿って取られた幾分概略的な断面図である。
【図３】図３は、複数区画内部ダクトの形成に備えて折り畳まれた図２の布材料の幾分概略的な図である。
【図４】図４は、完成した内部ダクトの幾分概略的な断面図である。
【発明を実施するための形態】
【００１３】
しなやかな材料、好ましくは低摩擦布材料のシートは、一般に数字１０で示されている。布地１０のシートは、典型的には、例えば２５００フィート長手方向に延在し、それから作製された内部ダクト１１（図４）は、それが通常地下に見られる導管に設置される建設現場で使用するためにリールに保管されることができる。
【００１４】
３つの内部ダクト区画が提供される場合、布シート１０は、複数の横方向に離間されて長手方向に延びる接着ストリップ１２Ａ、１２Ｂ、１２Ｃ、１２Ｄ、１２Ｅおよび１２Ｆを備える。これらのストリップ１２は、任意の適切な布接着剤から作製されることができ、図３に概略的に示されるように、シートが折り畳まれたときに、ストリップ１２が潜在的な内部ダクト区画１３、１４、および１５の上部にあるように、シート１０上に横方向に配置される。したがって、ストリップ１２Ａおよび１２Ｂは、潜在的な区画１３の上部にあり、ストリップ１２Ｃおよび１２Ｄは、潜在的な区画１４の上部にあり、ストリップ１２Ｅおよび１２Ｆは、潜在的な区画１５の上部にある。もちろん、接着剤のストリップを多かれ少なかれ提供することによって、３つよりも多いまたは少ない区画を形成することができる。
【００１５】
図４に示される複数区画内部ダクト１１を構築するために、ストリップ１２Ａおよび１２Ｂの対は、区画１３を形成するために互いに取り付けられ、ストリップ１２Ｃおよび１２Ｄの対は、区画１４を形成するために互いに取り付けられ、ストリップ１２Ｅおよび１２Ｆの対は、区画１５を形成するために互いに取り付けられる。全ての接着ストリップはまた、図４の１２において互いに取り付けられて、内部ダクト１１を形成することもできる。
【００１６】
接着ストリップ１２Ｂ、１２Ｄおよび１２Ｅは、ストリップ１２Ａ、１２Ｃおよび１２Ｆが区画１３、１４、および１５、したがって内部ダクト１１を形成するように互いに取り付けられた状態で排除されることができる。
【００１７】
したがって、本明細書に記載されるように構築された内部ダクトが当該技術分野を実質的に改善することは明らかであるはずである。
【図１】
2021526344.tif 000003
【図２】
2021526344.tif 000004
【図３】
2021526344.tif 000005
【図４】
2021526344.tif 000006
【国際調査報告】
2021526344.tif 000007
2021526344.tif 000008